(57)【特許請求の範囲】
【請求項１】
帯状部と、この帯状部の両端部にそれぞれ取り付けられた左右一対のフックとを有してなり、前記左右一対のフックをヘルメットの左右両側部の下縁部に引っ掛けられることにより、前記帯状部を前記ヘルメットの表面上に沿わされた状態で前記ヘルメットに装着されるヘルメット装着表示具において、
前記左右一対のフックは、前記ヘルメット外に位置される外側部と、前記外側部から内側に延びる底部と、この底部の内側端部から上方に立ち上がる内側立ち上がり部と、前記底部の上面において、前記外側部から間隔を置かれて、上方に隆起する隆起部とを一体的に有してなり、
前記左右両側部の下縁部の実質引っ掛け厚（Ｔ）が小さいヘルメットの場合は、前記下縁部が前記外側部と前記隆起部の側部との間に挿入されるようにして前記左右一対のフックが前記下縁部に引っ掛けられる一方、左右両側部の下縁部の実質引っ掛け厚（Ｔ）が大きいヘルメットの場合は、前記下縁部が前記外側部と前記内側立ち上がり部との間かつ前記隆起部上に挿入されるようにして前記左右一対のフックが前記下縁部に引っ掛けられるようになっているヘルメット装着表示具。
【発明の詳細な説明】
【技術分野】
【０００１】
本発明は、帯状部の両端にフックを取り付けてなり、これらのフックをヘルメットの左右両側部の下縁部に引っ掛け、前記帯状部がヘルメットの表面上に沿って延びるようにして、ヘルメットに装着され、工事現場等におけるヘルメット着用者の職種、資格等の識別対象事項を表示するヘルメット装着表示具に関する。
【背景技術】
【０００２】
工事現場等で使用されているヘルメットの形状は多種多様であって、左右両側部の下縁部に大きなそり返しのあるもの、そり返しが小さいもの、そり返しがないもの等が有り、ヘルメットの左右両側部の下縁部の実質引っ掛け厚はまちまちである。
【０００３】
このため、従来のヘルメット装着表示具においては、前記実質引っ掛け厚が小さいヘルメットに対応できるフックと、前記実質引っ掛け厚が大きいヘルメットに対応できるフックとの２種類のフックを用意しておく必要があった。
【０００４】
また、特許文献１は、１種類のフックで前記実質引っ掛け厚が異なるヘルメットに対応できるヘルメット装着表示具として、「帯状のバンド部の両端にフックを設けてヘルメットに係止するヘルメット用表示具であって、前記フックがＬ字状であり、該Ｌ字部の内角が５５〜７５°の範囲内であることを特徴とするヘルメット用表示具」を提案している。
【先行技術文献】
【特許文献】
【０００５】
【特許文献１】実用新案登録第３１４９４０３号公報
【発明の概要】
【発明が解決しようとする課題】
【０００６】
しかしながら、特許文献１に提案されているヘルメット装着表示具においては、ヘルメットの下縁部の実質引っ掛け厚が大きい場合は、フックを前記下縁部に引掛ける際にフックが大きく押し広げられ、大きな変形を受けるため、フックの耐久性に問題があった。
【０００７】
本発明は、このような従来の事情に鑑みてなされたもので、本発明の目的の一つは、１種類のフックで左右両側部の下縁部の実質引っ掛け厚が異なるヘルメットに対応できるヘルメット装着表示具を提供することにある。
【０００８】
本発明の他の目的は、フックの耐久性が優れたヘルメット装着表示具を提供することにある。
【０００９】
本発明のさらに他の目的は、以下の説明から明らかになろう。
【課題を解決するための手段】
【００１０】
本発明によるヘルメット装着表示具は、
帯状部と、この帯状部の両端部にそれぞれ取り付けられた左右一対のフックとを有してなり、前記左右一対のフックをヘルメットの左右両側部の下縁部に引っ掛けられることにより、前記帯状部を前記ヘルメットの表面上に沿わされた状態で前記ヘルメットに装着されるヘルメット装着表示具において、
前記左右一対のフックは、前記ヘルメット外に位置される外側部と、前記外側部から内側に延びる底部と、この底部の内側端部から上方に立ち上がる内側立ち上がり部と、前記底部の上面において、前記外側部から間隔を置かれて、上方に隆起する隆起部とを一体的に有してなり、
前記左右両側部の下縁部の実質引っ掛け厚（Ｔ）が小さいヘルメットの場合は、前記下縁部が前記外側部と前記隆起部の側部との間に挿入されるようにして前記左右一対のフックが前記下縁部に引っ掛けられる一方、左右両側部の下縁部の実質引っ掛け厚（Ｔ）が大きいヘルメットの場合は、前記下縁部が前記外側部と前記内側立ち上がり部との間かつ前記隆起部上に挿入されるようにして前記左右一対のフックが前記下縁部に引っ掛けられるようになっているものである。
【００１１】
本発明においては、上述のようにヘルメットの左右両側部の下縁部の実質引っ掛け厚の大小に応じて前記下縁部に対するフックの引掛け位置を変えることにより、１種類のフックで、前記実質引っ掛け厚が異なるヘルメットに対応できる。
【００１２】
また、前記下縁部の実質引っ掛け厚が大きいヘルメットに対しても、前記下縁部に引掛ける際にフックが大きく押し広げられず、大きな変形を受けないため、フックの耐久性が優れている。
【発明の効果】
【００１３】
本発明のヘルメット装着表示具は、
（イ）１種類のフックで、左右両側部の下縁部の実質引っ掛け厚が異なるヘルメットに対応できる、
（ロ）フックの耐久性が優れている、
等の優れた効果を得られるものである。
【図面の簡単な説明】
【００１４】
【図１】本発明によるヘルメット装着表示具の一実施例を平らに広げた状態で示す平面図である。
【図２】前記実施例のヘルメット装着表示具を平らに広げた状態で示す底面図である。
【図３】前記実施例のヘルメット装着表示具を平らに広げた状態で示す正面図である。
【図４】前記実施例のヘルメット装着表示具を平らに広げた状態で示す側面図である。
【図５】前記実施例のヘルメット装着表示具において帯状部にヘルメット着用者の職種、資格等の識別対象事項を表示した場合を示す平面図である。
【図６】前記実施例のヘルメット装着表示具におけるフックを、開閉部を開いた状態で示す斜視図である。
【図７】前記フックを開閉部を開いた状態で示す側面図である。
【図８】前記実施例のヘルメット装着表示具において、フックの開閉部を閉じて帯状部を挟み込むことにより、帯状部の端部にフックを取り付けた状態を示す断面図である。
【図９】前記実施例のヘルメット装着表示具のフックを、実質引っ掛け厚が小さいヘルメットの側部の下縁部に引っ掛けた状態を示す断面図である。
【図１０】前記実施例のヘルメット装着表示具のフックを、実質引っ掛け厚が大きいヘルメットの側部の下縁部に引っ掛けた状態を示す断面図である。
【図１１】前記実施例のヘルメット装着表示具をヘルメットに装着した状態を示す側面図である。
【図１２】ヘルメット着用者の職種、資格等の識別対象事項を表示したステッカーをフックに貼付した場合における前記実施例のヘルメット装着表示具をヘルメットに装着した状態を示す側面図である。
【発明を実施するための形態】
【００１５】
以下、本発明を図面に示す実施例に基づいて説明する。
【実施例１】
【００１６】
図１〜１２は本発明の一実施例を示している。このうち図１〜４は本実施例におけるヘルメット装着表示具１を平らに広げた状態を示しており、このヘルメット装着表示具１は、第一の帯状部２と、第二の帯状部３と、これらの帯状部２，３の両端部にそれぞれ取り付けられた左右一対のフック４，４とを有してなる。前記第一および第二の帯状部２，３はネオプレンゴム等の柔軟で適当な弾性を有する材料からなる。前記第一および第二の帯状部２，３として異なる色に着色されたものを用意することにより、第一および第二の帯状部２，３の色別でヘルメット着用者の職種、資格等の識別対象事項を表示することもできるし、第一または（および）第二の帯状部２，３に図５のように前記識別対象事項１６を文字、図形、記号等で印刷等により表示してもよい。
【００１７】
図６および７は、前記フック４を単独で示したものであり、対称形状とされているので、１つのフックを左用および右用のいずれのフック４としても使用できる。前記フック４はプラスチックからなり、本体部５とヒンジ部６と開閉部７とを一体的に有してなる。
【００１８】
前記本体部５は、ヘルメット装着表示具１をヘルメット８（図９〜１２参照）に装着する際、ヘルメット８外に位置されることとなる板状の外側部９と、この外側部９の下端部から内側に延びる底部１０と、この底部１０の内側端部から上方に立ち上がり、外側部９に対向する内側立ち上がり部１１と、前記底部１０の上面において、外側部９から間隔Ｌ（図７，８参照）を置かれて、上方に隆起する隆起部１２とを一体的に有している。前記隆起部１２の高さは、内側立ち上がり部１１の高さより低くされている。前記外側部９と底部１０とがなす内角は８０〜１００度の範囲が好ましく、さらに好ましくは９０度（直角）である。前記底部１０と内側立ち上がり部１１とがなす内角は７５〜９０度の範囲が好ましい。前記外側部９には２つの結合穴１３が開けられている。
【００１９】
前記開閉部７は外側部９とほぼ同形同大をなしていて、その下端部を薄いヒンジ部６を介して、外側部９の下端部から外方斜め上方に突設されたヒンジ受け部１４の先端部に連結されており、ヒンジ部６を変形することにより外側部９に対して回動（開閉）できるようになっている。前記開閉部７の内面側には２つの結合突起１５が設けられている。
【００２０】
図８は、第一および第二の帯状部２，３の左右端部にフック４を取り付ける方法を示している。同図に示されるように、一点鎖線で示される如く開閉部７を開いた状態で、第一および第二の帯状部２，３の左右端部をフック４の外側部９の表面に沿わせ、次に開閉部７を閉じて各結合突起１５が第一および第二の帯状部２，３をそれぞれ貫通するとともに該結合突起１５の先端部が外側部９の結合穴１３を強制的に通過するようにする。結合突起１５の先端部は結合穴１３より大きくされているので、上記のように各結合突起１５の先端部を各結合穴１３を一旦強制的に通過させると、結合突起１５の先端部は後戻りして結合穴から抜け出ることができなくなり、第一および第二の帯状部２，３の端部にフック４が取り付けられる。
【００２１】
なお、開閉部７の表面には、図１２に示されるように、ヘルメット着用者の職種、資格等の識別対象事項１７を印刷したステッカー１８を貼付する等により、前記識別対象事項を表示することができる。
【００２２】
次に、本実施例のヘルメット装着表示具１の使用方法を説明する。このヘルメット装着表示具１は、図１１（または図１２）に示されるように、左右のフック４をヘルメット８の左右両側部の下縁部８ａに引っ掛け、第一および第二の帯状部２，３が若干伸張された状態でヘルメット８の表面上に沿って延びるようにして、ヘルメット８に装着される。なお、第一および第二の帯状部２，３の装着位置は、必ずしも図１１（または図１２）の位置に限られることはなく、必要に応じて適宜、それぞれ前後方向にずらした位置に装着することもできる。
【００２３】
次に、左右のフック４をヘルメット８の左右両側部の下縁部８ａに引っ掛ける方法をさらに詳しく説明する。図９は、そり返しが小さく、下縁部８ａの実質引っ掛け厚Ｔが小さいヘルメット８にヘルメット装着表示具１を装着する場合を示している。この場合は、外側部９がヘルメット８外においてヘルメット８の側面に沿い、内側立ち上がり部１１がヘルメット８内に侵入し、下縁部８ａが外側部９と隆起部１２の外側部９側の側部との間に挿入されるようにして、左右のフック４を下縁部８ａに引っ掛ける。図１０は、そり返しが大きく、下縁部８ａの実質引っ掛け厚Ｔが大きいヘルメット８にヘルメット装着表示具１を装着する場合を示している。この場合は、下縁部８ａが外側部９と内側立ち上がり部１１との間かつ隆起部１２上に挿入されるようにして、左右のフック４を下縁部８ａに引っ掛ける。
【００２４】
このヘルメット装着表示具１では、上述のように下縁部８ａの実質引っ掛け厚Ｔの大小に応じてフック４を下縁部８ａに引掛ける位置を変えることにより、１種類のフック４で、下縁部８ａの実質引っ掛け厚Ｔが異なるヘルメット８に対応できる。
【００２５】
また、下縁部８ａの実質引っ掛け厚Ｔが大きい場合も、フック４を下縁部８ａに引掛ける際にフック４は大きく押し広げられず、大きな変形を受けないため、フック４の耐久性が優れている。
【００２６】
なお、前記実施例においては、左右のフック４間に２本の帯状部、すなわち第一および第二の帯状部２，３が設けられているが、左右のフック４間に１本のみ帯状部を設けてもよいし、３本以上の帯状部を設けてもよい。
【００２７】
また、前記実施例においては、フック４の外側部９、底部１０および内側立ち上がり部１１がそれぞれ平面状をなしているが、本発明においては、フックの外側部、底部および内側立ち上がり部はそれぞれ曲面状や屈曲面状をなしていてもよい。
【産業上の利用可能性】
【００２８】
以上のように本発明によるヘルメット装着表示具は、帯状部の両端にフックを設けてなり、これらのフックをヘルメットの左右両側部の下縁部に引っ掛けてヘルメットに装着されるヘルメット装着表示具として有用である。
【符号の説明】
【００２９】
１    ヘルメット装着表示具
２    第一の帯状部
３    第二の帯状部
４    フック
８    ヘルメット
８ａ  ヘルメットの左右両側部の下縁部
９    外側部
１０    底部
１１    内側立ち上がり部
１２    隆起部
Ｌ    外側部と隆起部との間の間隔
Ｔ    実質引っ掛け厚
【図１】
0005507211.tif 000002
【図２】
0005507211.tif 000003
【図３】
0005507211.tif 000004
【図４】
0005507211.tif 000005
【図５】
0005507211.tif 000006
【図６】
0005507211.tif 000007
【図７】
0005507211.tif 000008
【図８】
0005507211.tif 000009
【図９】
0005507211.tif 000010
【図１０】
0005507211.tif 000011
【図１１】
0005507211.tif 000012
【図１２】
0005507211.tif 000013